(57)【要約】【課題】木幹に巻き付けて使用する場合に、カシナガを確実に捕獲することができると共に、小鳥等に害がなく、鳥類に対する生態系を乱すことを防止できるナラ枯れ対策シートを提供すること。【解決手段】クラフト紙または不織布により構成されたベースシート１１と、ベースシート１１の一方面に積層されたゴム系ホットメルト接着剤を含む接着層１２と、接着層１２の上に積層され、接着層の表面に間欠的に被接着領域を作るための、平面視で規則的に所定形状の窓が形成された樹脂系素材で作られた不織布１３と、不織布１３の上面から接着層１２の上を覆うように設けられ、接着層１２と対向する面がシリコン処理された剥離紙１４とを含むナラ枯れ対策シート１０である。【選択図】図１
2014212734.tif 000002
【特許請求の範囲】
【請求項１】
ナラ枯れ対策のために、樹木の幹に巻くシートであって、
クラフト紙または不織布により構成されたベースシートと、
前記ベースシートの一方面に積層されたゴム系ホットメルト接着剤を含む接着層と、
前記接着層の上に積層され、接着層の表面に間欠的に被接着領域を作るための、平面視で規則的に所定形状の窓が形成された樹脂系素材で作られた不織布と、
前記不織布の上面から前記接着層の上を覆うように設けられ、接着層と対向する面がシリコン処理された剥離紙と、
を含むことを特徴とする、ナラ枯れ対策シート。
【請求項２】
前記不織布は、平面視が格子状をしていることを特徴とする、請求項１記載のナラ枯れ対策シート。
【請求項３】
前記ベースシートの他方面に積層されたゴム系ホットメルト接着剤を含む裏面側接着層と、
前記裏面側接着層の露出面を覆うように設けられ、裏面側接着層と対向する面がシリコン処理された裏面側剥離紙と、
をさらに有し、
前記ベースシートの一方面に積層されたゴム系ホットメルト接着剤を含む接着層には、針葉樹林忌避剤が混合されており、
前記平面視格子状をした不織布には、針葉樹林忌避剤が含浸されていることを特徴とする、請求項１または２記載のナラ枯れ対策シート。
【発明の詳細な説明】
【技術分野】
【０００１】
この発明は、ナラ枯れ（ブナ科樹木萎凋病）を防ぎ、また、ナラ枯れ対策を講じるために利用されるナラ枯れ対策用の粘着シートに関する。
【背景技術】
【０００２】
「ナラ枯れ」（正式名称は「ブナ科樹木萎凋病」という。）は、ナラ類、シイ・カシ類の樹木を枯らす病原菌と、その病原菌を媒介する昆虫とによる「樹木の伝染病」と定義される。
病原菌は「ナラ菌（ラファエレア菌）」と呼ばれる糸状菌（カビ）の仲間で、媒介昆虫はカシノナガキクイムシ（以下「カシナガ」という。）である。
【０００３】
ナラ枯れは身近な森林にある代表的な樹木が感染し、ナラ枯れ被害が拡大すると、森林の景観が大きく変容し、木材も減少してしまう。ナラ枯れを知り、ナラ枯れを防ぎ、健全な森林として保全・整備していくことが求められている。
ナラ枯れは、ブナ科の樹種で被害が確認されており、ナラ枯れ被害を受けるブナ科の樹種を「ナラ類」ということにする。
【０００４】
カシナガは、ナラ類に穿入し、菌を繁殖させる。集中的な穿入を受けて感染した木は、内部が黒褐色に変色し、菌の蔓延を防ぐための防御反応として水分を上昇させなくなり、急速に枯れていく。
被害を受けて枯れた１本の木には、数１００〜数１０００の穿入孔が見られ、翌年には１穿入孔当たり数１０〜数１００のカシナガが孵化脱出する。このため、１本の木から数万頭のカシナガが脱出することもある。
【０００５】
被害を受けやすいナラ類は、高齢化・大径化したものが多く、樹上部よりも、根元付近の太い部分に集中してカシナガが穿入する。逆に、直径１０ｃｍ程度以下の小径木では、カシナガはほとんど繁殖できないことも知られている。
ここで、「カシナガ」は、昆虫目・ナガキクイムシ化の昆虫で、成虫の体長は５ｍｍ程度の円筒状で、大径木の内部に穿入して生息する。木から木へと病原菌である「ナラ菌」や餌となる「酵母」などの菌類を運ぶ。
【０００６】
通常、６〜８月に、ナラ類に少数のカシナガのオスが穿入し、集合ホルモンを発散する。
６〜９月には、集合ホルモンに誘因され、多数のオスとメスが集中的にその木に穿入する。これをマスアタックと呼ぶ。
７〜９月には、メスのカシナガが持つ菌のう（ナラ菌を蓄える器官）から、樹木内にナラ菌が入る。ナラ菌は坑道を伝って蔓延し、樹木を枯れさせる。メスのカシナガは坑道内で産卵をする。
【０００７】
８〜１０月には、カシナガは病原菌（ナラ菌）の他に餌となる菌（酵母）を木の中に持ち込み、幼虫は坑道の壁を拡張しながら繁殖した酵母を食べて成長する。そのため、木の周りに大量のフラスが堆積する。
翌年の６月には、坑道内で成長・蛹化・羽化した新成虫が、ナラ菌を持って外へ飛び出し、新たにナラ類を探して穿入する。
【０００８】
カシナガがナラ類に穿入しないように、カシナガのナラ類への穿入を阻止するための従来の手法としては、ビニールシートをナラの木に巻き付けるというやり方がある。
しかし、このやり方では、幹に傷がある木にビニールシートを長期間被覆すると、傷口が腐敗して木が弱る場合があるという欠点がある。
また、大量の木にビニールシートを被服すると、美観が損なわれるといった課題もある。
【０００９】
そこで、特許文献１には、液体粘着剤を使用してカシナガを駆除する方法が開示されている。
また、特許文献２には、木幹に巻き付ける可撓性シートを備え、粘着面と相対する樹皮との間に虫が通る隙間を形成するスペーサを有する虫捕獲具が提案されている。
【先行技術文献】
【特許文献】
【００１０】
【特許文献１】特開２００７−１５１４０３号公報
【特許文献２】特開２０１２−２１０２００号公報
【発明の概要】
【発明が解決しようとする課題】
【００１１】
特許文献１に記載の粘着剤を樹木の木幹に噴霧する方法では、粘着剤が噴霧された木幹にカシナガが飛来してきたとき、カシナガはその木に穿入する前に粘着剤によって捕獲され、樹木に潜入することができないので有効である。
ところが、カシナガを確実に捕獲するように、粘着性の高い粘着剤を噴霧した場合には、樹木に飛来するカシナガ以外の、例えば小鳥等をも粘着剤で捕獲するおそれがある。このため、カシナガ以外の小鳥等に対する被害が生じ、防除方法としては改善する余地が多分に残されていた。
【００１２】
特許文献２に記載の虫捕獲具および虫捕獲具の取り付け方法においても、可撓性シートが木幹に巻き付けられ、可撓性シートの粘着面が木幹の外側に広く露出した状態となる。このため、この木に飛来するカシナガを捕獲できるが、小鳥等の鳥類をも粘着層で捕獲するおそれがあった。
この発明は、このような背景のもとになされたもので、主たる目的は、木幹に巻き付けて使用する場合に、カシナガを確実に捕獲することができると共に、小鳥等に害がなく、鳥類に対する生態系を乱すことを防止できるナラ枯れ対策シートを提供することである。
【００１３】
この発明の他の目的は、カシナガのターゲットと成り易い幹の太い健全木に主として使用され、その木にカシナガが飛来するのを阻止することができ、また、穿入したカシナガが木から出てくる際には、そのカシナガも捕獲できるようなナラ枯れ対策シートを提供することである。
【課題を解決するための手段】
【００１４】
この発明の、上記の目的を達成するための請求項１記載の発明は、ナラ枯れ対策のために、樹木の幹に巻くシートであって、クラフト紙または不織布により構成されたベースシートと、前記ベースシートの一方面に積層されたゴム系ホットメルト接着剤を含む接着層と、前記接着層の上に積層され、接着層の表面に間欠的に被接着領域を作るための、平面視で規則的に所定形状の窓が形成された樹脂系素材で作られた不織布と、前記不織布の上面から前記接着層の上を覆うように設けられ、接着層と対向する面がシリコン処理された剥離紙と、を含むことを特徴とする、ナラ枯れ対策シートである。
【００１５】
また請求項２記載の発明は、前記不織布は、平面視が格子状をしていることを特徴とする、請求項１記載のナラ枯れ対策シートである。
さらに、請求項３記載の発明は、前記ベースシートの他方面に積層されたゴム系ホットメルト接着剤を含む裏面側接着層と、前記裏面側接着層の露出面を覆うように設けられ、裏面側接着層と対向する面がシリコン処理された裏面側剥離紙と、をさらに有し、前記ベースシートの一方面に積層されたゴム系ホットメルト接着剤を含む接着層には、針葉樹林忌避剤が混合されており、前記平面視格子状をした不織布には、針葉樹林忌避剤が含浸されていることを特徴とする、請求項１または２記載のナラ枯れ対策シートである。
【発明の効果】
【００１６】
請求項１および２記載の発明によれば、剥離紙が剥がされて樹木の幹に巻かれたナラ枯れ対策シートは、その表面の接着層および不織布が露出する。シート表面は、全面が接着層ではなく、平面視格子状の不織布によって、間欠的に非接着領域が存在する。
このため、飛来するカシナラは、その大きさが５ｍｍ程度であり、シート表面を移動する際に、接着層にくっつき、動けなくなって捕獲される。
【００１７】
一方、鳥等が飛来した場合には、たとえ鳥の足や羽根の一部が接着層にくっついても、不織布により間欠的に非接着領域が形成されているため、鳥は接着層から離れることができる。
それゆえ、目的とするカシナガだけを対象として、接着により捕獲することのできるナラ枯れ対策シートとなる。
【００１８】
請求項３記載の発明では、ベースシートの裏面側にも裏面側接着層が設けられている。それゆえ、裏面側接着層を覆う裏面側剥離紙を剥がすことにより、請求項３記載のナラ枯れ対策シートは、木の幹に裏面側接着層を用いて簡単に貼り付けることができる。
さらに、請求項３記載のナラ枯れ対策シートでは、ベースシートの一方面側、すなわち表面側に積層された接着層には、針葉樹林忌避剤が混合されている。針葉樹林忌避剤は、一例としてヒバ油（ヒノキチオール）が例示できる。ヒバ油（ヒノキチオール）は天然物および合成物があるが、天然物はたとえば青森ヒバから抽出するものが公知である。
【００１９】
カシナガは、広葉樹林であるナラ類に穿入するが、針葉樹林の臭いを嫌うことが知られている。そこで、針葉樹林忌避剤（ヒバ油、すなわちヒノキチオール等）をナラ枯れ対策シートの接着層に混合しておくことにより、カシナガの飛来および穿入を阻止することができる。
針葉樹林忌避剤としてのたとえばヒノキチオールは、マイクロカプセル化して利用することができる。従って、マイクロカプセル化したヒノキチオールを、接着層に混入することにより、ベースシートの一方面に積層された接着層に、針葉樹林忌避剤を混合することが可能である。
【００２０】
さらに、請求項３記載の発明では、平面視格子状の不織布にも、針葉樹林忌避剤が含浸されている。従って、ナラ枯れ対策シートは、その表面全体からヒノキチオール成分を発散することになり、カシナガを寄せつけることを防止できる。
また、ベースシートの他方面（裏面）に積層された裏面側接着層は、木幹にその接着力により接着される。そしてこの接着層には、針葉樹林忌避剤は混合されていない。よって、木に既に穿入したカシナガがいる場合、このカシナガは木から出てくる際に、裏面側接着層により接着されて捕獲することができる。
【図面の簡単な説明】
【００２１】
【図１】図１は、この発明の一実施形態に係るナラ枯れ対策シートの構成を説明するための図解的な断面構造図である。
【図２】図２は、この発明の一実施形態に係るナラ枯れ対策シートの平面図で、剥離紙を剥がした状態の平面図である。
【図３】図３は、この発明の他の実施形態に係るナラ枯れ対策シートの構成を説明するための図解的な断面構造図である。
【発明を実施するための形態】
【００２２】
以下には、図面を参照して、この発明の実施形態について具体的に説明をする。
［第１の実施形態］
図１は、この発明の第１の実施形態に係るナラ枯れ対策シートの図解的な断面構造図であり、図２は、その第１の実施形態に係るナラ枯れ対策シートの部分平面図であって、剥離紙を剥がした状態で示されている。
【００２３】
図１および図２を参照して説明する。ナラ枯れ対策シート１０は、ベースシート１１と、接着層１２と、不織布１３と、剥離紙１４とが、この順で積層された積層構造を有している。
ベースシート１１は、クラフト紙または不織布により構成されており、ナラ枯れ対策シート１０のベースを構成している。
【００２４】
なお、ベースシート１１をクラフト紙で構成した場合において、クラフト紙１１の裏面（図１において下面）が、離型処理された片面離型処理紙が用いられてもよい。
ベースシート１１の表面に積層された接着層１２は、ゴム系ホットメルト粘着剤により構成されている。接着層１２は、ゴム系ホットメルト粘着剤に代えて、溶剤系のゴム系強粘着剤で構成されていてもよい。
【００２５】
接着層１２の表面に貼り付けられて積層された不織布１３は、樹脂系素材で作られた不織布が使用されている。具体的には、ＰＰ（ポリプロピレン）の不織布またはＰＥＴ（ポリエチレンテレフタレート）の不織布が用いられている。
この不織布１３は、図２に示すように、平面視が格子状をした不織布である。
すなわち、図２を参照して、接着層１２上に積層された不織布１３は、枠で囲われた３０×３０ｍｍの平面視正方形の窓１５が縦及び横に規則的に配列形成され、窓１５と窓１５との間を区画する枠の太さが１０ｍｍの不織布が使用されている。
【００２６】
ナラ枯れ対策シート１０は、一例として、１枚の基本単位が、長さ１０５０ｍｍ、幅２９０ｍｍの大きさを例示することができる。そして、シート１０の長さ方向に直交方向に延びる不織布１３は、６つの窓１５毎に、幅方向の仕切り枠が１５ｍｍと太めの仕切り枠を有する格子状となっていてもよい。
ナラ枯れ対策シート１０を、平面視において、縦方向および横方向に見たとき、窓１５により、３０ｍｍの接着領域と、不織布の枠１３により１０ｍｍの非接着領域とが、交互に現れている。すなわち、３対１の割合で、交互に接着領域と非接着領域とが配置されている。
【００２７】
このため、接着層１２は、カシナガを捕獲すのに必要十分な領域であり、その一方、小鳥等にとっては、接着領域が連続的に大きく広がっていないので、足や羽根等がくっついても、小鳥等が自力で離れられる粘着層１２となっている。
なお、不織布１３は、平面視が格子状をした不織布に替えて、間欠的にカシナガを接着して捕獲できる粘着面が表れるように、例えば、円形、矩形、多角形の窓が規則的に形成されて配列された窓開きの不織布としてもよい。
【００２８】
不織布１３の上に積層された剥離紙１４は、片面、すなわち接着層１２および不織布１３に対向する面がたとえばシリコン処理された剥離紙が使用される。剥離紙１４は、このナラ枯れ対策シート１０が木の幹に巻き付けられた際には剥がされて、シート１０の表面に粘着層１２および不織布１３が露出されて使用される。
［第２の実施形態］
次に、図３を参照して、この発明の第２の実施形態に係るナラ枯れ対策シートの構成について説明をする。
【００２９】
図３は、第２の実施形態に係るナラ枯れ対策シート２０の図解的な断面構造図である。
ナラ枯れ対策シート２０は、いわゆる両面粘着シートタイプのものである。ベースシート２１の表面側には、順に、接着層２２、不織布２３および剥離紙２４が積層されている。
ベースシート２１、接着層２２、不織布２３および剥離紙２４の構成は、基本的には、図１で説明したナラ枯れ対策シート１０のそれと同じであるが、以下の点がこの実施形態では異なっている。
【００３０】
すなわち、接着層２２は、たとえばゴム系ホットメルト粘着剤で構成されているが、この粘着材には針葉樹林忌避剤が混合されている。
具体的には、マイクロカプセル化したヒノキチオールが混合されている。マイクロカプセル化したヒノキチオールは、たとえば２μｍ程度の多孔質にヒノキチオールを封じ込め、水溶性のウレタンに溶かして作成したヒノキチオールマイクロカプセルが使用されている。
【００３１】
ヒノキチオールマイクロカプセルは、ゴム系ホットメルト粘着剤に練り込むことにより、ゴム系ホットメルト粘着剤の粘着性能はそのままに、この粘着剤がヒノキチオール成分を発散するものとなる。
さらに、不織布２３にも、針葉樹林忌避剤、すなわちヒバ油（ヒノキチオール）が事前に散布され、あるいは含浸されている。
【００３２】
このため、ナラ枯れ対策シート２０の表面側、すなわちベースシート２１の表面側は、使用時に木の幹に巻き付けられたとき、外側に露出するが、その際に接着層２２および不織布２３からヒノキチオールが発散される。
よって、カシナガは、ヒノキチオールを嫌うため、このナラ枯れ対策シート２０が巻き付けられた木には、カシナガの飛来がなくなるか、飛来を少なくすることができる。
【００３３】
ナラ枯れ対策シート２０は、ベースシート２１の裏面側に、接着層２５および剥離紙２６が積層されている。
ベースシート２１の裏面側に積層された接着層２５も、たとえばゴム系ホットメルト粘着剤により構成されている。この接着層２５には、針葉樹林忌避剤は混合されてはいない。
【００３４】
剥離紙２６は、剥離紙２４と同様、片面（接着層２５と対向する面）が剥離用にたとえばシリコン処理された剥離紙である。
ナラ枯れ対策シート２０を使用する際には、裏面側の剥離紙２６を剥がし、当該シート２０が木の幹に巻き回され裏面側の接着層２５により接着される。
このため、ナラ枯れ対策シート２０が巻かれた木幹表面は、接着層２５で覆われている。木に既に穿入したカシナガがいる場合、カシナガは穿入孔や別の孔から木幹表面に這い出すが、そこには接着層２５があるため、この接着層２５によりカシナガを捕獲することができる。
【００３５】
以上説明した実施形態では、不織布１３、２３は、一例として樹脂系素材の不織布である旨説明したが、不織布を紙素材で作り、ベースシートと共に自然分解可能な構成とすることもできる。
その他、この発明は、請求項記載の範囲内において種々の変更が可能である。
【符号の説明】
【００３６】
１０、２０    ナラ枯れ対策シート
１１、２１    ベースシート
１２、２２    接着層
１３、２３    不織布
１４、２４    剥離紙
１５    窓
２５    接着層
２６    剥離紙
【図１】
2014212734.tif 000003
【図２】
2014212734.tif 000004
【図３】
2014212734.tif 000005